(57)【要約】      （修正有）【課題】  不適切に再生または再利用されるおそれがなく、液漏れのおそれがないセーフティニードルを提供する。【解決手段】  破壊可能なセーフティシリンジならびに同シリンジ用のバレル３を提供する。同シリンジは、ニードルハブ１６、ニードルシート３４、本体３２、破壊装置３８、カバー４０およびプランジャを有する。ニードルシートは、接続部３６を介して本体の第１端部３２１に連結されている。ニードルシートと本体とは射出成形法によって製造される。破壊装置とカバーとは本体に移動自在に連結される。シリンジまたはバレルを使用したのちに、破壊装置を回転させて、接続部を破壊し、本体からニードルシートを破壊的に切り離す。本体の第１端部を覆うためのカバーが配置されており、プランジャを押すとニードルハブが破壊される。【選択図】      図３
2005007140.tif 000002
【特許請求の範囲】
【請求項１】
シリンジで使用される破壊可能なバレルであって、
注入液を入れるための本体と、該本体は第１端部および第２端部を有することと、接続部を介して前記本体の第１端部に連結されているニードルシートと、前記本体の第１端部と移動自在に係合する破壊装置とを有し、
使用者による操作を受けると、前記破壊装置は前記接続部を破壊して、前記本体から前記ニードルシートを破壊的に切り離す破壊可能なバレル。
【請求項２】
前記ニードルシートと前記本体とは一体的に成形されている請求項１に記載の破壊可能なバレル。
【請求項３】
前記破壊装置は前記本体の第１端部と回転自在に係合するノブを有する請求項１に記載の破壊可能なバレル。
【請求項４】
前記ニードルシートは第１ねじれ面をさらに有し、かつ前記ノブは前記第１ねじれ面に対応する第２ねじれ面を有する請求項３に記載の破壊可能なバレル。
【請求項５】
前記使用者による操作は前記ノブを回転させて、前記第２ねじれ面によって前記第１ねじれ面を押すことからなり、これによって前記接続部が破壊されて前記ニードルシートが前記本体から切り離される請求項４に記載の破壊可能なバレル。
【請求項６】
前記ニードルシートは複数の第１ねじれ面をさらに有し、かつ前記ノブは前記複数の第１ねじれ面に対応する複数の第２ねじれ面を有し、前記使用者による操作は前記ノブを回転させて、前記複数の第２ねじれ面によって前記複数の第１ねじれ面を押すことからなり、これによって前記接続部が破壊されて前記ニードルシートが前記本体から切り離される請求項３に記載の破壊可能なバレル。
【請求項７】
前記本体の第１端部に配置されたカバーをさらに有し、前記ニードルシートが前記本体から切り離されたのちに、前記カバーが押されて前記本体の第１端部を覆う請求項１に記載の破壊可能なバレル。
【請求項８】
前記カバーは開部分と閉部分とをさらに有し、前記ニードルシートが前記本体から切り離される前は前記開部分は前記本体の第１端部を露出させ、前記本体から前記ニードルシートが切り離された後は前記カバーが押されると前記閉部分が前記本体の第１端部を覆う請求項７に記載の破壊可能なバレル。
【請求項９】
破壊可能なセーフティシリンジであって、
ニードルハブと、
本体、ニードルシートおよび破壊装置を有するバレルと、前記本体には注入液が入ることと、前記本体は第１端部および第２端部を有することと、前記ニードルシートは接続部を介して前記本体の第１端部に連結されていることと、前記ニードルシートは前記ニードルハブを支えていることと、前記本体の第１端部と移動自在に係合する破壊装置と、
前記本体のなかに配置されており、前記軸に沿って移動可能なプランジャとを有し、
使用者による操作を受けると、前記破壊装置は前記接続部を破壊して、前記本体から前記ニードルシートを破壊的に切り離す破壊可能なセーフティシリンジ。
【請求項１０】
前記ニードルシートと前記本体とは一体的に成形されている請求項９に記載の破壊可能なセーフティシリンジ。
【請求項１１】
前記破壊装置は前記本体の第１端部と回転自在に係合するノブを有する請求項９に記載の破壊可能なセーフティシリンジ。
【請求項１２】
前記ニードルシートは第１ねじれ面をさらに有し、かつ前記ノブは前記第１ねじれ面に対応する第２ねじれ面を有する請求項１１に記載の破壊可能なセーフティシリンジ。
【請求項１３】
前記使用者による操作は前記ノブを回転させて、前記第２ねじれ面によって前記第１ねじれ面を押すことからなり、これによって前記接続部が破壊されて前記ニードルシートが前記本体から切り離される請求項１２に記載の破壊可能なセーフティシリンジ。
【請求項１４】
前記ニードルシートは複数の第１ねじれ面をさらに有し、かつ前記ノブは前記複数の第１ねじれ面に対応する複数の第２ねじれ面を有し、前記使用者による操作は前記ノブを回転させて、前記複数の第２ねじれ面によって前記複数の第１ねじれ面を押すことからなり、これによって前記接続部が破壊されて前記ニードルシートが前記本体から切り離される請求項１１に記載の破壊可能なセーフティシリンジ。
【請求項１５】
前記本体の第１端部に配置されたカバーをさらに有し、前記ニードルシートが前記本体から切り離されたのちに、前記カバーが押されて前記本体の第１端部を覆う請求項９に記載の破壊可能なセーフティシリンジ。
【請求項１６】
前記カバーは開部分と閉部分とをさらに有し、前記ニードルシートが前記本体から切り離される前は前記開部分は前記本体の第１端部を露出させ、前記本体から前記ニードルシートが切り離された後は前記カバーが押されると前記閉部分が前記本体の第１端部を覆う請求項１５に記載の破壊可能なセーフティシリンジ。
【請求項１７】
前記カバーが前記本体の第１端部を覆ったときに、前記ニードルシートが前記プランジャによって押されて前記ニードルハブを破壊する請求項１５に記載の破壊可能なセーフティシリンジ。
【発明の詳細な説明】
【技術分野】
【０００１】
本発明は、破壊可能なセーフティシリンジならびに同シリンジ用のバレルに関し、より詳細には、一体的に成形されているニードルシートと本体とを有し、使用後にニードルシートは、破壊装置によって本体から破壊的に切り離されるセーフティシリンジに関する。
【背景技術】
【０００２】
図１に、従来のシリンジ１の断面図を示す。シリンジ１は、本体１２、ニードルシート１４、ニードルハブ１６およびプランジャ１８を有する。ニードルハブ１６は使用後に取り外される。
【０００３】
図２に、従来より使用されている別のセーフティシリンジ２の断面図を示す。セーフティシリンジ２は、本体２２、ニードルシート２４、弾性リング２６、ニードルハブ１６およびプランジャ２８を有する。セーフティシリンジ２の使用後に、プランジャ２８とニードルシート２４とを係合させて、ニードルシート２４とニードルハブ１６とを本体２２に引き入れる。ニードルシート２４を引き出せるように、本体２２とニードルシート２４とは別個に成形されているため、ニードルシート２４と本体２２との間から液漏れが起こることがある。このため、弾性リング２６が、ニードルシート２４に付加的に取り付けられ、本体２２の内側面に水密的に接触している。同様の機能を付与する弾性リング２６の変形例は、従来より使用されているほかのセーフティシリンジにも使用されているが、簡潔を期すために本明細書には記載しない。
【特許文献１】台湾特許第４７５，４４９号
【特許文献２】米国特許第６，３９１，００８号
【特許文献３】米国特許第６，４０６，４６１号
【発明の開示】
【発明が解決しようとする課題】
【０００４】
上記のシリンジには幾つか不具合がある。第一に、ニードルシートと本体とが完全に破壊されないため、これらが不適切に再生または再利用されることを防止できない。第二に、漏出防止のために余分な構造が必要となり、シリンジの生産工程が複雑になる。最後に、過度の力をかけて引戻し式のセーフティシリンジのプランジャを押したときに、ニードルハブが本体から飛び出て、負傷事故につながるおそれがある。
【課題を解決するための手段】
【０００５】
上記問題点を解決するために、請求項１に記載の発明は、シリンジで使用される破壊可能なバレルであって、注入液を入れるための本体と、該本体は第１端部および第２端部を有することと、接続部を介して前記本体の第１端部に連結されているニードルシートと、前記本体の第１端部と移動自在に係合する破壊装置とを有し、使用者による操作を受けると、前記破壊装置は前記接続部を破壊して、前記本体から前記ニードルシートを破壊的に切り離す破壊可能なことを要旨とする。
【０００６】
請求項２に記載の発明は、請求項１に記載の破壊可能なバレルにおいて、前記ニードルシートと前記本体とは一体的に成形されていることを要旨とする。
請求項３に記載の発明は、請求項１に記載の破壊可能なバレルにおいて、前記破壊装置は前記本体の第１端部と回転自在に係合するノブを有することを要旨とする。
【０００７】
請求項４に記載の発明は、請求項３に記載の破壊可能なバレルにおいて、前記ニードルシートは第１ねじれ面をさらに有し、かつ前記ノブは前記第１ねじれ面に対応する第２ね
じれ面を有することを要旨とする。
【０００８】
請求項５に記載の発明は、請求項４に記載の破壊可能なバレルにおいて、前記使用者による操作は前記ノブを回転させて、前記第２ねじれ面によって前記第１ねじれ面を押すことからなり、これによって前記接続部が破壊されて前記ニードルシートが前記本体から切り離されることを要旨とする。
【０００９】
請求項６に記載の発明は、請求項３に記載の破壊可能なバレルにおいて、前記ニードルシートは複数の第１ねじれ面をさらに有し、かつ前記ノブは前記複数の第１ねじれ面に対応する複数の第２ねじれ面を有し、前記使用者による操作は前記ノブを回転させて、前記複数の第２ねじれ面によって前記複数の第１ねじれ面を押すことからなり、これによって前記接続部が破壊されて前記ニードルシートが前記本体から切り離されることを要旨とする。
【００１０】
請求項７に記載の発明は、請求項１に記載の破壊可能なバレルにおいて、前記本体の第１端部に配置されたカバーをさらに有し、前記ニードルシートが前記本体から切り離されたのちに、前記カバーが押されて前記本体の第１端部を覆うことを要旨とする。
【００１１】
請求項８に記載の発明は、請求項７に記載の破壊可能なバレルにおいて、前記カバーは開部分と閉部分とをさらに有し、前記ニードルシートが前記本体から切り離される前は前記開部分は前記本体の第１端部を露出させ、前記本体から前記ニードルシートが切り離された後は前記カバーが押されると前記閉部分が前記本体の第１端部を覆うことを要旨とする。
【００１２】
請求項９に記載の発明は、破壊可能なセーフティシリンジであって、ニードルハブと、本体、ニードルシートおよび破壊装置を有するバレルと、前記本体には注入液が入ることと、前記本体は第１端部および第２端部を有することと、前記ニードルシートは接続部を介して前記本体の第１端部に連結されていることと、前記ニードルシートは前記ニードルハブを支えていることと、前記本体の第１端部と移動自在に係合する破壊装置と、前記本体のなかに配置されており、前記軸に沿って移動可能なプランジャとを有し、使用者による操作を受けると、前記破壊装置は前記接続部を破壊して、前記本体から前記ニードルシートを破壊的に切り離す破壊可能なことを要旨とする。
【００１３】
請求項１０に記載の発明は、請求項９に記載の破壊可能なセーフティシリンジにおいて、前記ニードルシートと前記本体とは一体的に成形されていることを要旨とする。
請求項１１に記載の発明は、請求項９に記載の破壊可能なセーフティシリンジにおいて、前記破壊装置は前記本体の第１端部と回転自在に係合するノブを有することを要旨とする。
【００１４】
請求項１２に記載の発明は、請求項１１に記載の破壊可能なセーフティシリンジにおいて、前記ニードルシートは第１ねじれ面をさらに有し、かつ前記ノブは前記第１ねじれ面に対応する第２ねじれ面を有することを要旨とする。
【００１５】
請求項１３に記載の発明は、請求項１２に記載の破壊可能なセーフティシリンジにおいて、前記使用者による操作は前記ノブを回転させて、前記第２ねじれ面によって前記第１ねじれ面を押すことからなり、これによって前記接続部が破壊されて前記ニードルシートが前記本体から切り離されることを要旨とする。
【００１６】
請求項１４に記載の発明は、請求項１１に記載の破壊可能なセーフティシリンジにおいて、前記ニードルシートは複数の第１ねじれ面をさらに有し、かつ前記ノブは前記複数の
第１ねじれ面に対応する複数の第２ねじれ面を有し、前記使用者による操作は前記ノブを回転させて、前記複数の第２ねじれ面によって前記複数の第１ねじれ面を押すことからなり、これによって前記接続部が破壊されて前記ニードルシートが前記本体から切り離されることを要旨とする。
【００１７】
請求項１５に記載の発明は、請求項９に記載の破壊可能なセーフティシリンジにおいて、前記本体の第１端部に配置されたカバーをさらに有し、前記ニードルシートが前記本体から切り離されたのちに、前記カバーが押されて前記本体の第１端部を覆うことを要旨とする。
【００１８】
請求項１６に記載の発明は、請求項１５に記載の破壊可能なセーフティシリンジにおいて、前記カバーは開部分と閉部分とをさらに有し、前記ニードルシートが前記本体から切り離される前は前記開部分は前記本体の第１端部を露出させ、前記本体から前記ニードルシートが切り離された後は前記カバーが押されると前記閉部分が前記本体の第１端部を覆うことを要旨とする。
【００１９】
請求項１７に記載の発明は、請求項１５に記載の破壊可能なセーフティシリンジにおいて、前記カバーが前記本体の第１端部を覆ったときに、前記ニードルシートが前記プランジャによって押されて前記ニードルハブを破壊することを要旨とする。
【００２０】
本発明の一態様は、シリンジが不適切に再生または再利用されることを防止するために、破壊可能なセーフティシリンジおよび同シリンジ用のバレルを提供することにある。
本発明の別の態様は、シリンジの製造工程を簡略化するために、ニードルシートと本体とが一体的に成形されている破壊可能なセーフティシリンジおよび同シリンジ用のバレルを提供することにある。
【００２１】
本発明のさらに別の態様は、本体からニードルシートを破壊的に切り離すために、破壊装置が本体に移動自在に設けられている破壊可能なセーフティシリンジならびに同シリンジ用のバレルを提供することにある。
【００２２】
本発明のさらに別の態様は、ニードルハブによる負傷事故を防止するために、本体の一方の端部に本体の端部に移動自在に設けられており、使用後にカバーが当該端部を覆う破壊可能なセーフティシリンジならびに同シリンジ用のバレルを提供することにある。ニードルハブは、プランジャを押して、ニードルシートを押し縮めることによってさらに破壊される。
【００２３】
本発明の一実施形態は、セーフティシリンジの破壊可能なバレルを開示しており、同破壊可能なバレルは本体、ニードルシート、破壊装置およびカバーを有する。本体は、注入液を入れることができ、第１端部および第２端部を有する。ニードルシートは接続部を介して本体の第１端部に連結されており、ニードルハブを支えている。破壊装置は本体の第１端部と移動自在に係合している。カバーは破壊装置に移動自在に連結され、開部分と閉部分とを有する。カバーの開部分は本体の第１端部を露出させ、ニードルシートは開部分を通ってカバーを貫通する。ニードルシートは第１ねじれ面を有し、破壊装置は第１ねじれ面に対応する第２ねじれ面を有する。本明細書における例示的な実施形態としてねじれ面を使用しているが、本発明の範囲はこれに限定されない。傾斜を付した面や湾曲した面などの変更が当業者にとって公知であるという点に留意すべきである。
【００２４】
破壊可能なバレルの使用後に、破壊装置を回転させる。破壊装置の回転時に、第１ねじれ面と第２ねじれ面との高さが異なるため、第２ねじれ面がバレルの軸に沿って第１ねじれ面を押す。さらに、接続部はニードルシートよりも強度が低いため、ニードルシートが
押されると接続部が破壊される。このようにして、ニードルシートが本体から破壊的に切り離される。最後に、カバーを移動して本体の第１端部を覆って、ニードルハブとニードルシートとをバレルの本体のなかに収容する。
【００２５】
本発明の別の実施形態は、本体、ニードルハブ、ニードルシート、破壊装置、カバーおよびプランジャを有する破壊可能なセーフティシリンジを開示している。本体は、注入液を入れることができ、第１端部および第２端部を有する。ニードルシートは、接続部を介して本体の第１端部に連結されており、ニードルハブを支えている。プランジャは本体のなかに配置されており、注入液を押し出すために軸に沿って移動することができる。破壊装置は本体の第１端部と移動自在に係合している。ニードルシートと本体とは一体的に成形されている。カバーは破壊装置に移動自在に連結され、開部分と閉部分とを有する。カバーの開部分は本体の第１端部を露出させ、ニードルシートは開部分を通ってカバーを貫通する。
【００２６】
本実施形態の破壊手順は上記の実施形態と同様であり、簡潔を期すために本明細書には記載しない。ニードルシートを破壊したのちに、ニードルシートが本体から破壊的に切り離される。次に、プランジャを本体の第２端部のほうに引き出すと、収容用空間が本体内に形成される。カバーを押して本体の第１端部を覆って、ニードルハブとニードルシートとを本体内に収容する。最後に、プランジャを押して、収容用空間を押し縮める。このようにして、ニードルハブが変形を受けて破壊される。
【発明の効果】
【００２７】
本発明によるセーフティシリンジならびに同シリンジ用バレルは、ニードルシートと本体とを切り離すことができ、シリンジが不適切に再生または再利用されることを防ぐ。
【発明を実施するための最良の形態】
【００２８】
図３は、本発明の一実施形態による破壊可能なバレル３の断面図であり、バレル３がシリンジで使用される。破壊可能なバレル３は、本体３２、ニードルシート３４、破壊装置３８およびカバー４０を有する。本体３２には注入液（図示なし）を入れることができる。本体３２は、第１端部３２１と第２端部３２２とを有する。ニードルシート３４は、接続部３６を介して本体３２と接続されている。破壊装置３８は、本体３２の第１端部３２１に移動自在に連結される。本体３２とニードルシート３４とは一体的に成形されており、注入成形など、公知の方法であればどのような方法によっても製造することが可能である。このように、製造方法を簡略化できるのみならず、製造コストの削減が可能である。さらに、一体成形であるため、注入液の液漏れが生じないため、本体３２とニードルシート３４との間に弾性リングを挿入する必要がない。
【００２９】
カバー４０は、開部分４２と閉部分４４とを有する。カバー４０は、破壊装置３８に移動自在に連結される。開部分４２は、本体３２の第１端部３２１を露出させており、ニードルシート３４は開部分４２を通ってカバー４０を貫通する。
【００３０】
図４は、図３に示す破壊可能なバレル３の展開図である。ニードルシート３４は、破壊装置３８の開口部４６とカバー４０の開部分４２とを貫通する。ニードルシート３４はニードルハブ１６を保持する。本体３２に入った注入液が、ニードルシート３４の開口部４８を通ってニードルハブ１６に流れ、対象物（図示なし）に注入される。本体３２とニードルシート３４との間の接続部３６（図３参照）を破壊するために、ノブなどの破壊装置３８が設けられている。
【００３１】
図５Ａ，５Ｂに、破壊可能なバレル３の構造と、本体３２、ニードルシート３４および破壊装置３８の位置関係とをより詳細に示す。本体３２の第１端部３２１は第１ロック部
５２を有し、破壊装置３８は第２ロック部５４を有する。破壊装置３８の第２ロック部は、本体３２の第１ロック部５２に回転自在に連結される。第１ロック部５２と第２ロック部５４とは、鉤やラッチなど、公知の要素であればどのようなものであってもよい。ニードルシート３４は第１ねじれ面５６を有し、破壊装置３８はこれと対応する第２ねじれ面５８を有する。図５Ａには、例示的な実施形態としてねじれ面が３組図示されているが、実用上、第１ねじれ面５６と第２ねじれ面５８とは各々少なくとも１組の面であり得る。カバー４０は、図５Ｂの部分６０にある鉤など、任意の公知の連結部材によって破壊装置３８に移動自在に連結される。
【００３２】
図６Ａ，６Ｂに、破壊装置３８の操作によって、ニードルシート３４が本体３２から破壊的に切り離された状態を示す。破壊可能なバレル３の使用後に、破壊可能なバレル３を破壊することによって、破壊可能なバレル３が不適切に再生および再利用されることがなくなる。図５Ａ，５Ｂに示すように、第１ねじれ面５６と第２ねじれ面５８とは高さが異なるため、破壊装置３８を回転させると、第２ねじれ面５８が破壊可能なバレル３の軸に沿ってニードルシート３４の第１ねじれ面５６を押す。接続部３６はニードルシート３４よりも強度が低いため、破壊装置３８がニードルシート３４を押すと接続部３６が破壊される。このようにして、ニードルシート３４が本体３２から破壊的に切り離される。破壊装置３８を使用することによって、破壊可能なバレル３を、再利用されないように単純な操作によって破壊できる。
【００３３】
図７に示すように、ニードルシート３４を本体３２から切り離したのちに、カバー４０をさらに移動させると、カバー４０の閉部分４４によって本体３２の第１端部３２１を覆う。カバー４０は、溝（図示なし）に沿ってカバー４０が摺動するなど、公知の方法であればどのような方法によっても移動させることができる。本実施形態においては、カバー４０は開部分４２と閉部分４４とを有するが、当業者は容易に変更を加えて、同様の機能を有するカバー４０を作成することが可能である。例えば、開部分のないカバー（図示なし）を本体３２の第１端部３２１に回転自在に設けて、カバーを回転させることで第１端部３２１を覆ってもよい。破壊可能なバレル３がカバー４０によって覆われていれば、バレル３が使用済みであることを容易に見分けられるようになる。さらに、使用済みのニードルハブ１６とニードルシート３４とを、バレル３の本体３２内に収容して、カバー４０で塞げば、負傷事故を防止することができる。
【００３４】
図８に、本発明の別の実施形態による破壊可能なセーフティシリンジ８の展開図を示す。シリンジ８は、ニードルハブ１６、本体３２、ニードルシート３４、破壊装置３８、カバー４０およびプランジャ８８を有する。本体３２には注入液（図示なし）を入れることができる。本体３２は、第１端部３２１と第２端部３２２とを有する。ニードルシート３４は、接続部３６を介して本体３２と接続されている。プランジャ８８は、本体３２のなかに配置されており、注入液を押し出すために軸に沿って移動することができる。破壊装置３８は、本体３２の第１端部３２１に移動自在に連結される。本体３２とニードルシート３４とは一体的に成形されており、注入成形など、公知の方法であればどのような方法によっても製造することが可能である。このように、製造方法を簡略化できるのみならず、製造コストの削減が可能である。さらに、液漏れのおそれがないため、本体３２とニードルシート３４との間に弾性リングを挿入する必要がない。カバー４０は、開部分４２と閉部分４４とを有する。カバー４０は、破壊装置３８に移動自在に連結される。開部分４２は本体３２の第１端部３２１を露出させており、ニードルシート３４は開部分４２を通ってカバー４０を貫通する。
【００３５】
図８に示す実施形態の破壊装置３８の破壊機構は、上記実施形態の破壊可能なバレル３の破壊機構と類似しており、簡潔を期すために本明細書には記載しない。図９に、ニードルハブ１６をさらに破壊した状態を示す。ニードルシート３４を本体３２から切り離した
のちに、ニードルハブ１６とニードルシート３４とをバレル３の本体３２に収容することができる。カバー４０を押して、本体３２の第１端部３２１を覆う。次に、プランジャ８８をさらに押して、ニードルハブ１６とニードルシート３４とを押し縮める。ニードルハブ１６が変形を受け、カバー４０とプランジャ８８との間で押し付けによる力によって破壊される。ニードルハブ１６とニードルシート３４とがともに破壊されるため、シリンジ８の再利用ができなくなる。さらに、シリンジ８がカバー４０によって覆われていれば、シリンジが使用済みであることを容易に見分けられるようになる。
【００３６】
上記の記載は、本発明の上記の例示的な実施形態を記載したものであって、いかなる方法よっても、本発明の範囲を限定するものではない。本発明の精神ならびに範囲を逸脱することなく、上記実施形態に記載した要素の機能および構成に種々の変更を加えることが可能である。このため、本発明の保護範囲は、添付の特許請求の範囲によって規定される。
【図面の簡単な説明】
【００３７】
【図１】従来のシリンジを示す断面図。
【図２】従来のセーフティシリンジを示す断面図。
【図３】本発明の一実施形態による破壊可能なバレルを示す断面図。
【図４】図３の破壊可能なバレルの展開図。
【図５Ａ】本体、ニードルシートおよび破壊装置を示す斜視図。
【図５Ｂ】本体、ニードルシートおよび破壊装置を示す断面図。
【図６Ａ】ニードルシートが本体から切り離された状態の破壊可能なバレルを示す断面図。
【図６Ｂ】ニードルシートが本体から切り離された状態の破壊可能なバレルを示す斜視図。
【図７】カバーが本体の第１端部を覆っている状態を示す図。
【図８】本発明の別の実施形態による破壊可能なバレルを示す展開図。
【図９】シリンジのニードルハブを破壊する工程を示す図。
【符号の説明】
【００３８】
３…バレル、８…セーフティシリンジ、１６…ニードルハブ、３２…本体、３４…ニードルシート、３６…接続部、３８…破壊装置、４０…カバー、４２…開部分、４４…閉部分、５６…第１ねじれ面、５８…第２ねじれ面、８８…プランジャ、３２１…第１端部、３２２…第２端部。
【図１】
2005007140.tif 000003
【図２】
2005007140.tif 000004
【図３】
2005007140.tif 000005
【図４】
2005007140.tif 000006
【図５Ａ】
2005007140.tif 000007
【図５Ｂ】
2005007140.tif 000008
【図６Ａ】
2005007140.tif 000009
【図６Ｂ】
2005007140.tif 000010
【図７】
2005007140.tif 000011
【図８】
2005007140.tif 000012
【図９】
2005007140.tif 000013